(57)【要約】【課題】  複数の産業機器検索システムを統合して入力した検索用キーワードを有効に活用できる産業機器統合検索システムを提供する。【解決手段】  第１検索用キーワード群と対応付けてノズル情報を登録してあるデータベース２ｂと、第１検索用キーワード群によりノズルを検索可能なノズル検索システム２と、ノズルと共に使用されるポンプ等の情報を、第1検索用キーワード群と少なくとも一部が共通する第２検索用キーワードと対応付けて登録してあるデータベース３ｂと、第２検索用キーワード群によりポンプを検索可能なポンプ検索システム３とをインターネット上に備え、ノズル検索システムとポンプ検索システム等とを連携させる産業機器統合検索システムであって、ノズルを検索した後、ポンプを検索するに際し、第１検索用キーワード群として入力したデータのうち、第２検索用キーワード群として使用可能なデータを、ノズル検索システム２からポンプ検索システム３へと引き渡すデータ引渡し手段２４ａを備えている。【選択図】    図２
2006119725.tif 000002
【特許請求の範囲】
【請求項１】
第１検索用キーワード群と対応付けて第１産業機器情報を登録してある第１産業機器データベースと、
第１検索用キーワード群により第１産業機器データベースから第１産業機器を検索可能な第１産業機器検索システムと、
前記第１産業機器と共に使用される第２産業機器情報を、第1検索用キーワード群と少なくとも一部が共通する第２検索用キーワードと対応付けて登録してある第２産業機器データベースと、
第２検索用キーワード群により第２産業機器データベースから第２産業機器を検索可能な第２産業機器検索システムとをネットワーク上に備え、
第１産業機器検索システムと少なくとも１種類の第２産業機器検索システムとを連携させることが可能な産業機器統合検索システムであって、
第１産業機器検索システムにより第１産業機器を検索した後、第２産業機器検索システムで第２産業機器を検索するに際し、第１検索用キーワード群として入力したデータのうち、第２検索用キーワード群として使用可能なデータを、第１産業機器検索システムから第２産業機器検索システムへと引き渡すデータ引渡し手段を備えていることを特徴とする産業機器統合検索システム。
【請求項２】
前記第１産業機器及び第２産業機器は、少なくとも、ノズル、バルブ、ポンプ、圧力計からなるグループにより構成されることを特徴とする請求項１に記載の産業機器統合検索システム。
【発明の詳細な説明】
【技術分野】
【０００１】
本発明は、第１産業機器を検索するシステムと第２産業機器を検索するシステムとを統合した産業機器統合検索システムに関する。
【背景技術】
【０００２】
産業機器の１例であるノズル検索システムとして、例えば、下記特許文献１に開示されるシステムがある。このシステムは、インターネット上に配置されるサーバーに、ノズルカタログに基づいてデータベースを構築する。ノズルを検索したいノズルユーザーは、このサーバーにアクセスして、検索用キーワードを入力することで所望のノズルの型番を抽出することができる。検索用キーワードとしては、噴射圧力、噴射流量、スプレー角度、スプレーパターンなどがあり、これらの具体的な数値データ等を入力することで、所望のノズル特性を有するノズルを検索することができる。
【０００３】
一方、ノズルを必要とする場合、このノズルと共に使用される他の産業機器、例えば、バルブ、ポンプ、圧力計についても必要になる。例えば、図１１に示すような給水配管構造を設計する場合は、ノズルと共に使用されるバルブ等についても、所望の性能のものを探す必要がある。
【０００４】
ノズルの検索については、特許文献１に開示される検索システムにより所望の特性を有するノズルを検索することが可能であるが、ノズル以外のバルブ等についても同じようにカタログに基づいたデータベース及び検索システムを構築することが可能である。このように、産業機器ごとに検索システムを構築することで、所望の特性を有する産業機器を検索することが可能になる。
【特許文献１】特開２００４−２４６８１０号公報
【発明の開示】
【発明が解決しようとする課題】
【０００５】
しかしながら、単に並列的に検索システムを構築するのみでは所望の産業機器を検索する効率を上げることはできない。例えば、ノズルを検索する時には検索用キーワードとして噴射圧力や噴射流量のデータを入力するが、これらのキーワードはバルブを検索するときにも用いられる。従って、ノズルを検索する場合とバルブを検索する場合とで、検索用キーワードとして同じデータ入力を行うことになり、二度手間となってしまう。例えば、検索用キーワードとして入力したデータをメモしておき、このメモを見ながら別の検索システムで同じデータを入力することになるが、入力ミスを行ってしまうことがある。
【０００６】
本発明は上記実情に鑑みてなされたものであり、その課題は、複数の産業機器検索システムを統合して入力した検索用キーワードを有効に活用できる産業機器統合検索システムを提供することである。
【課題を解決するための手段】
【０００７】
上記課題を解決するため本発明に係る産業機器統合検索システムは、
第１検索用キーワード群と対応付けて第１産業機器情報を登録してある第１産業機器データベースと、
第１検索用キーワード群により第１産業機器データベースから第１産業機器を検索可能な第１産業機器検索システムと、
前記第１産業機器と共に使用される第２産業機器情報を、第1検索用キーワード群と少なくとも一部が共通する第２検索用キーワードと対応付けて登録してある第２産業機器データベースと、
第２検索用キーワード群により第２産業機器データベースから第２産業機器を検索可能な第２産業機器検索システムとをネットワーク上に備え、
第１産業機器検索システムと少なくとも１種類の第２産業機器検索システムとを連携させることが可能な産業機器統合検索システムであって、
第１産業機器検索システムにより第１産業機器を検索した後、第２産業機器検索システムで第２産業機器を検索するに際し、第１検索用キーワード群として入力したデータのうち、第２検索用キーワード群として使用可能なデータを、第１産業機器検索システムから第２産業機器検索システムへと引き渡すデータ引渡し手段を備えていることを特徴とするものである。
【０００８】
この構成による産業機器統合検索システムの作用・効果について説明する。この産業機器統合検索システムは、第１産業機器検索システムと第２産業機器検索システムとを統合したものであり、第２産業機器検索システムは少なくとも１つ設けられる。各産業機器検索システムは、検索用キーワード群により対応付けられて産業機器情報が登録してある産業機器データベースを備えている。ここで第１産業機器を検索した後、第２産業機器を検索する場合を考えると、第１産業機器を検索する場合には、第１検索用キーワードにより検索がされるが、第２産業機器を検索する場合には、第１検索用キーワードとして入力したデータの中で使用可能なデータを、第１産業機器検索システムから第２産業機器検索システムへと引き渡す。これにより、同じデータ入力を繰り返す手間を省くことができる。その結果、複数の産業機器検索システムを統合して入力した検索用キーワードを有効に活用できる産業機器統合検索システムを提供することができる。
【０００９】
本発明において、前記第１産業機器及び第２産業機器は、少なくとも、ノズル、バルブ、ポンプ、圧力計からなるグループにより構成されることが好ましい。
【００１０】
仮にノズルを第１産業機器と考えた場合、バルブ、ポンプ、圧力計は第２産業機器となる。ノズルを検索するのに検索用キーワードとして圧力データを入力した場合、そのデータは、他の３つの産業機器のすべてに対して使用できる。従って、重複したデータ入力の手間を省くことができる。
【発明を実施するための最良の形態】
【００１１】
本発明に係る産業機器統合検索システムの好適な実施形態を図面を用いて説明する。図１は、産業機器統合検索システムの全体構成を示す概念図である。
【００１２】
＜システムの全体構成＞
インターネット等のネットワークにより検索システムを構成するサーバーが互いに接続されている。管理用サーバー１は、システムの全体を統括管理する。ノズル検索システム２は、サーバー２ａとノズルデータベース２ｂとを備える。ノズルデータベース２ｂには、ノズルカタログに基づいてノズル情報が検索用キーワードと対応付けられて格納されている。検索用キーワードとして、噴射圧力や噴射流量を入力することで、データベース２ｂを検索し条件に合致したノズルを抽出する。
【００１３】
バルブ検索システム３は、サーバー３ａとバルブデータベース３ａとを備える。ポンプデータベース４は、サーバー４ａとポンプデータベース４ｂとを備える。圧力計検索システム５は、サーバー５ａと圧力計データベース５ｂとを備える。何れの検索システムも基本的な構成は同じである。ネットワーク上にどのように、データベースやサーバーを配置するかについては、適宜変更可能であり、図１に示す概念図に限定されるものではない。
【００１４】
ノズルやバルブの検索を行いたいユーザーは、パソコン６を用いて各サーバーにアクセスすることで、検索システムを利用することができる。パソコン６にインストールされているブラウザを使用することで、各検索システム２〜５にアクセスすることができる。
【００１５】
＜検索手順の概略＞
次に、図１に示す産業機器統合検索システムを用いて、ノズル、バルブ、ポンプ、圧力計を検索する時の手順（タンデム検索）を図２、図３により説明する。もちろん、各検索システムは、単独かつ独立して使用することが可能であるが、連携させて使用することもでき、その連携のための構成が本発明の特徴でもある。
【００１６】
図２にも示すように、ノズルの検索を行う時には、検索用キーワードとして噴射圧力、噴射流量、取り付けサイズ、スプレー角度等を入力する。夫々入力されたデータに対応したノズルが検索される。ノズルの検索が終了すると、このノズルと共に使用するバルブの検索を行うことができる。このバルブの検索を行う時に圧力と流量については、ノズルを検索したときと同じデータを使用することができる。そこで、この圧力と流量については、ノズル検索システム２で入力されたデータが、そのままバルブ検索システム３に引き渡されるようになっており、わざわざ同じデータを入力しなおす必要がない。すなわち、図３に示すようにノズル検索画面からバルブ検索画面に移行すると、ノズル検索画面にて入力したデータが、画面上ですでに同じデータが入力された状態となっている。これにより、同じデータを入力する手間を省くことができる。なお、バルブを検索するときに口径を入力する場合、これはノズル検索では扱わないキーワードであるから、バルブ検索画面においては空欄となっており、検索用キーワードとして必要ならばデータを入力する必要がある。
【００１７】
バルブの検索が終了すると、既に検索済みのノズルやバルブと共に使用するポンプの検索を行うことができる。ポンプの検索を行う場合には、検索用キーワードとして圧力、流量、口径等を入力する。ここで、圧力と流量は、ノズルの検索を行う時に入力したデータがそのまま引き渡され、口径については、バルブの検索を行う時に入力したデータがそのまま引き渡される。ポンプの検索が終了すると、圧力計の検索を行うことができる。圧力計の検索を行う場合には、検索用キーワードとして圧力、直径、取り付けサイズを入力することができる。ここで、圧力については、ノズルを検索すると気に入力したデータがそのまま引き渡される。直径と取り付けサイズについては、改めて入力するべき検索用キーワードであるから検索画面上では空欄となっている。
【００１８】
以上のように、各検索システム２〜５を統合したシステムにおける検索手順を説明した。図２、図３では、ノズルの検索から開始する例を説明したが、これに限定されるものではなく、どの産業機器から検索を開始してもよい。ノズルから検索を開始する場合は、ノズルが第１産業機器に相当し、他のバルブ、ポンプ、圧力計は第２産業機器に相当する。バルブから検索を開始する場合は、バルブが第１産業機器に相当することになる。
【００１９】
本発明においては、例えば、ノズルを検索した後バルブを検索した場合には、ノズルを検索した時に入力した噴射圧力と噴射流量のデータがそのまま引き渡しされるが、ノズルの検索において圧力を入力したが流量を入力しなかった場合は、実際に入力を行った圧力のデータのみが引き渡される。
【００２０】
また、バルブの検索画面では、引き渡された圧力や流量のデータが、検索画面上に既に入力された形で表示されるが、この引き渡されたデータをそのままバルブの検索のために使用する必要はなく、適宜データの数値を変えてもよい。また、例えば、流量を検索用キーワードとして使用したくない場合は、検索画面上において、そのデータを消去すればよい。
【００２１】
＜サーバーの構成＞
次に、図４により、ノズル検索システム２のサーバーの機能について説明する。なお、他のバルブやポンプの検索システムについても同じ構成であるため説明は省略する。なお、ノズルの検索を行う場合には、図３の左上に示す検索システム選択画面においてノズルと表示されているボタンをクリックして選択する。ノズル以外の検索を行いたい場合は、そのボタンをクリックすればよい。
【００２２】
送受信部２２は、ユーザー、パソコン６からのアクセス要求に応じて、Ｗｅｂページ（ホームページ）データ（ＨＴＭＬデータ）や電子メールを送信する。また、パソコン６により入力されたデータ、電子メール等を受信する。この送受信部２２は、サーバーシステム２を構成するコンピュータにインストールされるプログラム（ＯＳ等）や通信インターフェースにより構成することができる。
【００２３】
Ｗｅｂページ記憶部２３は、ＷｅｂページデータがＨＴＭＬファイルの形式で保存されている。Ｗｅｂページ処理部２４は、外部パソコンからのアクセス要求に応じて、Ｗｅｂページ記憶部２３に記憶されているＷｅｂページデータを送受信部２２を介して送信させる。また、ＣＧＩプログラムによる処理結果やデータベース２ｂの検索結果をＷｅｂページの形態に処理し（ＨＴＭＬデータを生成し）、外部パソコンへと送信する。
【００２４】
電子メール処理部２５は、外部パソコンから送信されてくる電子メールの処理、例えば、電子メールに書かれているデータの解析等を行う。解析結果に基づき、ＣＧＩプログラムが起動される。また、外部パソコンへ送信すべき電子メールの自動作成を行う。ＣＧＩシステム２６とは、サーバーが外部のプログラム（ＣＧＩプログラム）を呼び出して実行させる機能のことをいう。ＣＧＩシステム２６の中核をなすＣＧＩプログラムが多数格納されている。
【００２５】
データベース制御部２９は、ユーザーのパソコンから送信されてきたキーワード情報に基づいて、データベース２ｂの検索を行う。検索結果は、ＣＧＩシステム２６の機能により、Ｗｅｂページの形態でユーザーのパソコンに返信される。
【００２６】
Ｗｅｂページ記憶部２３には、Ｗｅｂページデータが多数格納されているが、本検索システムでは、４つの検索方法を提供しており、具体的には、スタンダード検索、エキスパート検索、ノズル仕様検索、類似ノズル検索の４つである。そのための検索ページを提供する。これら各検索方法の詳細は、先に挙げた特許文献１に開示されている。
【００２７】
単位換算手段２７は、ノズルを検索するときに入力する噴射圧力や噴射流量の単位を換算する機能を有する。例えば、圧力の単位にはｂａｒやＰａがあり、使用される単位はノズルメーカー間で統一されておらず、ノズルを扱うユーザーサイドにおいても統一されていない。従って、検索をするユーザーの立場から見ると、自分の普段扱っている単位で検索用キーワードを入力するほうが好ましい。ただし、データベース２ｂにはカタログに記載されている単位で登録しているので、カタログに記載されている単位と異なる単位をユーザーが指定していたとしても確実に検索ができるように、単位換算手段２７が設けられている。
【００２８】
Ｗｅｂページ処理部２４は、データ引渡し手段２４ａの機能を備えている。これは既に説明したように、ノズル検索システムで入力した検索用キーワードのデータが他の検索システムでも使用できる場合は、そのデータを引き渡す機能である。
【００２９】
＜スタンダード検索＞
次に、ノズルを検索する場合のスタンダード検索について説明する。スタンダード検索は、概略の検索条件を入力して、ノズル型番を多数検索する方法である。広範囲で多数のノズル型番を検索することができる。スタンダード検索では、３段階に分けて検索条件を入力可能である。図５に示すようなステップ１の検索画面 (入力フォーム)に移行することで、検索を行うことができる。
【００３０】
画面の上部には、入力済みの検索条件を表示する表示エリア４１が設けられている。ステップ１では、ノズルの分類を検索条件として入力する。あらかじめ、「液体用ノズル」「気体用ノズル」・・・のように分類がされており、ラジオボタンをクリックすれば、いずれか１つの分類を選択することができる。選択を終了すると、画面下にある「次ページ」ボタンをクリックすれば、ステップ２へ進む。
【００３１】
図６は、スタンダード検索の第２ステップの検索画面 (入力フォーム) を示す図である。ステップ１と同様に表示エリア４１が設けられている。この表示エリア４１には、ステップ１で入力済みのノズルの分類として、「蒸気ノズル」が表示されている。これにより、過去に（別のステップで）入力した検索条件を確認することができる。ステップ１の条件を変更したい場合は、表示エリア４１の中で「Ｓｔｅｐ１」と表示された箇所をクリックすれば、先ほどの図５の検索画面に戻ることができる。
【００３２】
ステップ２では、スプレーパターンを選択する。スプレーパターンは、ノズルの先端から外部に流体が噴射されるときの噴射パターンである。スプレーパターンの表現については、ノズルメーカーの間で統一されたものがなく、また、言葉で表現すること自体も難しい。従って、ユーザーに検索条件としてスプレーパターンを入力させる場合に、どのような形で入力させるかは重要である。また、ユーザーが入力しやすいような形態でなければならない。そこで、スプレーパターンをイラスト化して表示させるようにした。本願発明者は、世界各国のノズルカタログを検討し、全てのノズルを図６に示すようにイラスト化されたスプレーパターンで分類した。夫々のスプレーパターンには、形状ＩＤも付している。なお、スプレーパターン断面が同じであっても、流体の噴射方向が異なる場合は、異なる分類として扱っている。言葉による説明だけでなく、スプレーパターンをイラスト化しているので、ユーザーは迷うことなく自分の要望するノズルのスプレーパターンを選択することができる。選択は、いずれか１つのラジオボタンをクリックすればよい。ステップ２の入力が終わると、「次ページ」 ボタンをクリックしてステップ３に進む。
【００３３】
図７は、ステップ３の検索画面 (入力フォーム) の構成例を示す図である。ステップ３では、概略のノズル仕様を検索条件として入力する。他の、ステップ１，２の画面と同様に、表示エリア４１が設けられている。既に入力済みのノズルの分類とスプレーパターンをイラスト化したものが表示されている。表示エリア４１の機能は、すでに説明したのと同じである。
【００３４】
画面の下部にノズル仕様を入力するための入力フォームが示される。具体的には、流体圧力と噴射流量とスプレー角度とを入力できる。流体圧力を入力する入力欄４３と、単位を選択する入力欄４５とが設けられている。入力欄４３には、数値を入力する。単位については、メーカーやユーザーによって取り扱っている単位が異なっているので、選択できるようにした。なお、ユーザーの選択した単位と、メーカーのカタログ記載の単位とが異なっていたとしても、単位換算の演算処理を行って検索するようにしているので、選択した単位に依存して検索結果が異なることはないようにしている。噴射流量についても、単位を選択できる。なお、単位換算表と記載されているボタン４２をクリックすると、単位換算するためのページが別ウィンドウで表示される。このページで、単位換算を行うことができるので、ユーザーは必要に応じて利用すればよい。
【００３５】
また、噴射流量とスプレー角度については、許容範囲も入力できるような入力欄４４も設けている。これは、もし許容範囲を入れない場合は、入力した流体圧力に対応する噴射流体流量及びスプレー角度を有するノズルが検索されない可能性が高くなるからである。つまり、ピンポイントの数値の検索では、ユーザーの要望する特性を有するノズルが存在するにもかかわらず、検索結果として抽出されないということがありうる。 そこで、本検索システムでは、許容範囲も入力させるようにして、確実に検索できるようにしている。
【００３６】
ステップ３の検索条件を入力し終わったら、検索開始ボタンをクリックすると、検索が行われる。なお、既に入力済みの検索条件のやり直しをする場合は、表示エリア４１の中にある該当する箇所をクリックすれば、選択したステップの検索画面のところに戻る。また、検索を実行するにあたり、ステップ１とステップ２とは必須項目であるが、ステップ３のノズル仕様については、入力しなくても検索を行うことができる。あるいは、ノズル仕様の一部のみを入力しても良い。これにより、広範囲にわたってノズルを検索することができる。
【００３７】
図８は、スタンダード検索における検索結果の一覧表を表示する画面の構成例である。この画面においても、検索条件を表示する表示エリア４１が設けられている。機能は同じである。
【００３８】
一覧表は、画面の下部に示される。表の項目として、システムコード、メーカー、国籍、カタログ言語、メーカー型番、圧力値、単位、単位選択、流量値、単位、単位選択、スプレー角度が図示されている。図示の都合で示してはいないが、材質、ネジの規格・サイズ・オスメスの区別、バルブ、ストレーナについての項目も設けられる。このように、検索結果をノズル型番として抽出することができる。検索個数が多数の場合は、複数ページにわたって一覧表が作成される。ユーザーは、この検索結果を見て、新たに検索条件を入力したい場合は、画面の下にある「検索方法」の選択と記載されたボタンをクリックすればよい。この場合、入力した数値はクリアされる。また、検索結果を更に絞込みたい場合は、エキスパート検索に行くことができる。この場合も、画面下にある「エキスパート検索」 と記載されたボタンをクリックすればよい。これについては後述する。
【００３９】
一覧表に表示されている各社のノズルのうちの、特定のノズル型番のノズルについて詳細に知りたい場合は、一覧表の中のメーカー型番の枠内（例えば、図番４６で示している箇所） をクリックすればよい。これにより、図９，１０に示す、検索結果詳細表示の画面に移行する。図９の画面を下方にスクロールすれば図１０の画面になる。
【００４０】
図９の画面においても、上部に表示エリア４１が設けられている。機能は、すでに説明した通りである。また、単位換算表のためのクリックボタン４２も設けられている。
【００４１】
選択したノズル型番についての詳細表示が一覧表４８として表示されている。そのノズルのメーカーのＵＲＬも表示されており、メーカーのホームページもすぐに見ることができる。図１０に示すように、圧力−流量特性表４９と圧力−スプレー角度特性表５０が表示されており、単位も選択できる。異なる単位を選択すると、演算処理がされ、選択した単位に対応した数値に変換される。
【００４２】
一覧表４８の下方には、検索されたノズルに関連したノズルカタログのページ５１がサムネイル画像として表示されている。そのページの箇所をクリックすると、画像が拡大されてカタログ画像を通常の大きさで見ることができる。
【００４３】
画面の下部には、「添付メーラー起動」と記載されたボタン５２が設けられている。ユーザーは、メーカーに対して問い合わせを行いたい場合は、このボタン５２をクリックすればよい。これにより、電子メールのソフトウェアが自動的に起動する。また、宛先にもそのメーカーのメールアドレスが既に入力された状態となっている。  
【００４４】
先ほどと同様に、新たに検索条件を入力したい場合は、「検索方法」の選択と記載されたボタン５３をクリックすればよい。
【００４５】
またノズルの検索から他のバルブやポンプの検索に移行したい場合は、検索システム選択画面（図３参照）に戻るためのボタン５４をクリックする。このボタン５４は、検索結果の一覧表を示す画面（図８）や検索結果詳細表示の画面（図１０）に設けられている。このボタン５４をクリックすることで、検索システム選択画面に戻り他の検索システムを選択することができる。また、この手順を踏むことにより、他の検索システムへと検索用キーワードとして入力したデータを引き渡すことができる。このデータは、アクセスしてきたパソコン内の所定のホルダ（例えば、クッキー：Ｃｏｏｋｉｅ）に一時的に保存しておくことで、データの引渡しをすることができる。なお、図８や図１０のログアウトボタンをクリックすると、検索システムから脱出し、データの引渡しは行われないが、そのような場合でもデータを保存しておくようにしてもよい。
【００４６】
検索用キーワードを入力するときに単位を選択することができることについて説明した。デフォルトとは異なる単位でノズルを検索した場合、その選択した単位でのデータが引き渡される。従って、次段階の検索においてもユーザーの好みの単位で検索を行うことができる。従って、データを引き渡す場合には、データの値と共に選択した単位を表わすデータも引き渡すようにする。これにより、改めて単位を選択し直す手間を省くことができる。
【００４７】
＜別実施形態＞
（１）本発明の検索システムにおいて、各検索システムを１台のサーバー装置で構成するか複数台で構成するかは適宜選択できるものである。複数台で構成して機能を分散することにより、各サーバー装置の負担を軽減することができる。例えば、Ｗｅｂサーバ、データベース・サーバーのように分散することができる。複数のサーバーで構成する場合に、サーバーが設置される場所が分散されていても良い。また、各検索システムを構成するサーバーをインターネット上でどのように分散配置するかも適宜決めることができる。
（２）検索条件の入力形態については、特定の形態に限定されるものではない。プルダウンメニュー方式で選択する形態、入力欄 (ボックス) 内にキーボード等で入力する形態、ラジオボタン形式で選択する形態等を適宜用いることができる。どの項目をどのような入力形態にするかについても、任意に行うことができる。
（３）産業機器の具体的な例としてノズル、ポンプ、バルブ、圧力計をあげたが、これに限定されるものではない。例えば、電気配線構造に関して電流計や電圧計（これらは産業機器に相当）の検索を行う場合にも、本発明による産業機器統合検索システムは有効である。
（４）本実施形態ではボタン５４により検索システムを選択する画面に一旦戻るようにしているが、直接別の検索システムにリンクするボタンを設けてもよい。従ってこの場合、上記ボタン５４の代わりに、各検索システムにリンクする３つのボタンが設けられる。
【図面の簡単な説明】
【００４８】
【図１】産業機器統合検索システムの全体構成を示す概念図
【図２】タンデム検索の手順を示す図
【図３】タンデム検索の手順を示す図
【図４】サーバーシステムの構成を示すブロック図
【図５】スタンダード検索におけるステップ１の検索画面の構成例を示す図
【図６】スタンダード検索におけるステップ２の検索画面の構成例を示す図
【図７】スタンダード検索におけるステップ３の検索画面の構成例を示す図
【図８】スタンダード検索における検索結果の一覧表を表示する画面の構成例を示す図
【図９】スタンダード検索における検索結果詳細表示の画面の構成例を示す図
【図１０】スタンダード検索における検索結果詳細表示の画面の構成例を示す図
【図１１】給水配管構造における産業機器の配置例を示す図
【符号の説明】
【００４９】
１        管理用サーバー
２        ノズル検索システム
２ａ，３ａ，４ａ，５ａ    サーバー
２ｂ      ノズルデータベース
３ｂ      バルブデータベース
４ｂ      ポンプデータベース
５ｂ      圧力計データベース
６        パソコン
２２      送受信部
２３      Ｗｅｂページ記憶部
２４      Ｗｅｂページ処理部
２４ａ    データ引渡し手段
２６      ＣＧＩシステム
２７      単位換算手段
２９      データベース制御部
【図１】
2006119725.tif 000003
【図２】
2006119725.tif 000004
【図３】
2006119725.tif 000005
【図４】
2006119725.tif 000006
【図５】
2006119725.tif 000007
【図６】
2006119725.tif 000008
【図７】
2006119725.tif 000009
【図８】
2006119725.tif 000010
【図９】
2006119725.tif 000011
【図１０】
2006119725.tif 000012
【図１１】
2006119725.tif 000013